(57)【要約】【課題】  エプロンの側端部と壁との間から洗い場側の水が浸入するのを防止できて浴槽下が汚れたり、カビが発生したりするのを防止する。【解決手段】  壁１に水返し部材２を固定し、該水返し部材２の洗い場側を向いた一端部に軟質部３を上下にわたって設ける。水返し部材２の壁１と反対側の面の軟質部３よりもエプロン７から離れた位置に上下方向にわたってせき止め片８を突設する。浴槽４と洗い場５との境界部分において浴槽４のフランジ６の下方に配設するエプロン７の側端部を水返し部材２の軟質部３に圧接させる。【選択図】      図１
2005095429.tif 000002
【特許請求の範囲】
【請求項１】
壁に水返し部材を固定し、該水返し部材の洗い場側を向いた一端部に軟質部を上下にわたって設け、水返し部材の壁と反対側の面の軟質部よりもエプロンから離れた位置に上下方向にわたってせき止め片を突設し、浴槽と洗い場との境界部分において浴槽のフランジの下方に配設するエプロンの側端部を水返し部材の軟質部に圧接させて成ることを特徴とする浴室における壁とエプロンとの間の水返し構造。
【請求項２】
軟質部を内部が中空の断面三角形状とし、この断面三角形状の軟質部の一辺部を壁に沿う辺部とすると共に他の２辺部を洗い場側を向く辺部と浴槽側を向く辺部とし、浴槽側を向く辺部が壁に沿う辺部及び洗い場側を向く辺部よりも薄肉として成ることを特徴とする請求項１記載の浴室における壁とエプロンとの間の水返し構造。
【請求項３】
浴槽側と洗い場側床との間を仕切る堰を設け、せき止め片の下端部を水返し部材の下端部よりも下方に突出させて当て片とし、該当て片を堰の浴槽に対向する面に当接して成ることを特徴とする請求項２記載の浴室における壁とエプロンとの間の水返し構造。
【発明の詳細な説明】
【技術分野】
【０００１】
本発明は、浴室において壁とエプロンとの間から浸入しようとする水を水返しするための浴室における壁とエプロンとの間の水返し構造に関するものである。
【背景技術】
【０００２】
従来から浴槽と洗い場との境界部分において浴槽のフランジの下方にエプロンを配置して浴槽の側面を隠すと共に洗い場側の水が浴槽側の床に浸入しないようにしている。（例えば、特許文献１参照）
上記のような従来例にあっては、エプロンの側端部と壁との間から洗い場側の水が壁に沿って浸入してこれが浴槽下の奥側まで浸入することに対しては十分な対策が講じられておらず、エプロンの側端部と壁との間から洗い場側の水が壁に沿って浸入して浴槽下の奥側が汚れたり、カビが発生したりするという問題があった。
【特許文献１】特開２００２−１３６４４０号公報
【発明の開示】
【発明が解決しようとする課題】
【０００３】
本発明は上記の従来の問題点に鑑みて発明したものであって、エプロンの側端部と壁との間から洗い場側の水が浸入するのを防止できて浴槽下が汚れたり、カビが発生したりするのを防止することができる浴室における壁とエプロンとの間の水返し構造を提供することを課題とするものである。
【課題を解決するための手段】
【０００４】
上記課題を解決するために本発明に係る浴室における壁とエプロンとの間の水返し構造は、壁１に水返し部材２を固定し、該水返し部材２の洗い場側を向いた一端部に軟質部３を上下にわたって設け、水返し部材２の壁１と反対側の面の軟質部３よりもエプロン７から離れた位置に上下方向にわたってせき止め片８を突設し、浴槽４と洗い場５との境界部分において浴槽４のフランジ６の下方に配設するエプロン７の側端部を水返し部材２の軟質部３に圧接させて成ることを特徴とするものである。
【０００５】
このようにエプロン７の側端部が壁１に固定した水返し部材２の軟質部３に圧接していることで、洗い場側からエプロン７の側端部と浴室の壁１との間に浸入する水が水返しされて浴槽４下側に浸入することがないものであり、また、仮に、エプロン７の側端部が水返し部材２の軟質部３に圧接した部分から奥に洗い場側の水が浸入したとしても、せき止め片８によりそれ以上奥に浸入するのが防止され、洗い場側の水が浴槽４下に浸入するのを確実に防止することができ、浴槽４下の奥が汚れたり、カビが発生したりするのを防止することができるものである。
【０００６】
また、軟質部３を内部が中空の断面三角形状とし、この断面三角形状の軟質部３の一辺部を壁１に沿う辺部３ａとすると共に他の２辺部を洗い場側を向く辺部３ｂと浴槽側を向く辺部３ｃとし、浴槽側を向く辺部３ｃが壁１に沿う辺部３ａ及び洗い場側を向く辺部３ｂよりも薄肉とすることが好ましい。
【０００７】
このような構成とすることで、壁１に水返し部材２を固定した状態で、エプロン７を取付ける際、エプロン７の側端部を断面三角形状の軟質部３に壁１と直交する方向から挿入される場合、壁１と平行な方向から挿入される場合のいずれの場合でも薄肉となった浴槽側を向く辺部３ｃ部分で潰れてエプロン７の側端部が軟質部３に押圧されることになって、水の浸入を確実に防止することができる。
【０００８】
また、浴槽４側床と洗い場５側床との間を仕切る堰９を設け、せき止め片８の下端部を水返し部材２の下端部よりも下方に突出させて当て片１０とし、該当て片１０を堰９の浴槽４に対向する面に当接することが好ましい。
【０００９】
このように当て片１０が堰９の浴槽４に対向する面に当接することで、水返し部材２の堰９に対する位置決めができ、水返し部材２のせき止め片８により浸入が阻止された水をせき止め片８の洗い場側を向く面に沿って流下させて堰９の上面から洗い場側に流すことが可能となるものである。
【発明の効果】
【００１０】
本発明は、上記のように、エプロンの側端部が壁の固定した水返し部材の軟質部に圧接していることで、洗い場側からエプロンの側端部と浴室の壁との間に浸入する水が水返しされて浴槽下側に浸入することがなく、また、仮に、エプロンの側端部が水返し部材の軟質部に圧接した部分から奥に洗い場側の水が浸入したとしても、せき止め片によりそれ以上奥に浸入するのが防止されて、洗い場側の水が浴槽下に浸入するのを確実に防止することができ、これにより掃除し難い浴槽下の奥が汚れたり、カビが発生したりするのを防止することができる。
【発明を実施するための最良の形態】
【００１１】
以下、本発明を添付図面に示す実施形態に基いて説明する。
【００１２】
図１乃至図４には本発明の一実施形態が示してある。浴室の床は床パン１１により構成してあり、この床パン１１は洗い場５側と浴槽４側とが一体となったものでも、洗い場５側床となる洗い場側床パンと、浴槽４側床となる浴槽側床パンとが別体となり、別体の洗い場側床パンと浴槽側床パンとを水密的に接続したものであってもよい。上記のように一体に形成した床パン又は別体の洗い場側床パンと浴槽側床パンとを水密的に接続した床パンはそれぞれ、堰９により洗い場５側床と浴槽４側床とに区分けされるものである。該堰９は全体が一体の床パン１１の場合には該床パン１１の中央部に一体に形成してあり、また、別体の洗い場側床パンと浴槽側床パンとを水密的に接続した床パンにおいては、堰９が洗い場側床パンの端部に一体に設けてあって、洗い場側床パンの端部に設けた堰９の端部を浴槽側床パンの端部に水密的に接続してある。
【００１３】
床パン１１の浴槽４側床には浴槽４が載設される。該浴槽４の上端開口部には外側方に向けてフランジ６が設けてある。このフランジ６の先端部は下方に向けて垂下した垂下片１２となっている。
【００１４】
浴室の壁１は添付図面に示す実施形態では壁パネル１ａを建て込むことで構成してあり、上記床パン１１の外周端部の立上がり片１３の上端部に設けた壁パネル載置片１４に壁パネル１ａの下端部を載置すると共に壁パネル１ａに取付けた止め具１５により壁パネル１ａの下端部を壁パネル載置片１４の外端から上方に突設した水切り縦片１６に係止することで壁パネル１ａを建て込むようになっている。
【００１５】
壁１を構成する壁パネル１ａには上記堰９の長手方向の端部近傍の上方位置に水返し部材２が固定される。
【００１６】
水返し部材２は図４に示すようなもので、合成樹脂製で上下長さが後述のエプロン７の上下長さとほぼ等しい長さとなっており、縦長の平板状部１７の洗い場側を向く一端部に上下方向の全長にわたって軟質部３が設けてある。この軟質部３は平板状部１７よりも厚肉となっており、壁パネル１ａに接する面側は上記平板状部１７の壁パネル１ａに接する面と面一となっているが、軟質部３の壁パネル１ａと反対側の面は平板状部１７の壁パネル１ａと反対側の面よりも突出している。水返し部材２の壁パネル１ａと反対側の面の軟質部３よりもエプロン７から離れた位置に上下方向にわたってせき止め片８を突設してある。せき止め片８の上下端部又は下端部が平板状部１７の上下端部から上下方向又は下方向に一体に突出しており、せき止め片８の下方に突出した片を当て片１０としてある。平板状部１７の他端部（軟質部３を設けた側と反対側の端部）は固着部１７ａとなっている。
【００１７】
上記の構成の水返し部材２を平板状部１７の下端部を堰９の長手方向の端部（壁１側の端部）上面に載置すると共に当て片１０を堰９の浴槽４に対向する面に当接して堰９に対して位置決めした状態で平板状部１７の片面を壁パネル１ａに当接し、この状態で固着部１７ａ部分を固着具１８により壁パネル１ａに固着してある。
【００１８】
浴槽４と洗い場５との境界部分において浴槽４のフランジ６の下方で且つ堰９の上方にエプロン７を配設する。
【００１９】
エプロン７の取付けに当たっては従来から公知の種々の方法が採用できる。たとえば、図示を省略しているが、堰９の上面部及び浴槽４のフランジ６の下面に取付け具を設け、この取付け具によりエプロン７の下端部と上端部とを堰９と浴槽４のフランジ６とに取付けるものである。この場合、エプロン７の表面部の最上端部に段部１９が設けてあり、該段部１９がフランジ６の垂下片１２に嵌め込まれる。そして、本発明においては、上記のエプロン７の取付けにおいて、図１に示すようにエプロン７の側端部を壁１に固着した水返し部材２の軟質部３に圧接してエプロン７の側端部の背方突出片部７ａを軟質部３に食い込ませ、この部分からの水の浸入ができないようにしている。
【００２０】
しかして、洗い場側からエプロン７の側端部と壁１（壁パネル１ａ）との間に水が浸入してもエプロン７の側端部の背方突出片部７ａが軟質部３に圧接して食い込んでいるので、この圧接部分から奥へは水が浸入できないようになっている。また、仮にエプロン７の側端部の背方突出片部７ａが水返し部材２の軟質部３に圧接した部分から奥に洗い場側の水が浸入したとしても、水返し部材２にせき止め片８が設けてあるので、このせき止め片８により浸入してきた水がそれ以上奥に浸入するのが防止される。つまり、せき止め片８で水返しされた水は下方に流下し、壁１を伝って浴槽４下の奥側に浸入するのが防止される。ここで、せき止め片８の下方に突出した当て片１０が堰９の浴槽４に対向する面に当接しているので、せき止め片８により水返しされて下方に流下した水は堰９の上面部から浴槽側床の方に流れるのが阻止され、堰９の上面から洗い場側床の方に流れ、堰９とエプロン７との間の僅かな隙間又はエプロン７の下端部の堰９側を向いた背方片の先端の下端に設けた排水用切欠から洗い場５側床に流すようになっている。なお、堰９の上面は洗い場程下となるように僅かに傾斜しているとよりスムーズに洗い場側に排水できることになる。
【００２１】
図５乃至図９には他の実施形態が示してある。本実施形態における水返し部材２は基本的構成は前述の実施形態における水返し部材２と同じであるが、軟質部３の構成が異なっている。すなわち、本実施形態においては、図８に示すように、縦長の平板状部１７の洗い場側を向く一端部に上下方向の全長にわたって設けた軟質部３が内部が中空の断面三角形状となっている。内部が中空の断面三角形状軟質部３は一辺部が壁１に沿う平板状部１７と面一に連続する辺部３ａとなり、他の２辺部３ｂ、と３ｃとが壁１から離れる方向に突出している。この壁１から離れる方向に突出している２辺部３ｂ、３ｃのうち一辺部は洗い場側を向いた洗い場側を向く辺部３ｂであって上記壁１に沿う辺部３ａに対して鋭角に傾斜しており、他の一辺部は浴槽側を向く辺部３ｃであって上記壁１に沿う辺部３ａに対して鋭角に傾斜している。そして、浴槽側を向く辺部３ｃが壁１に沿う辺部３ａ及び洗い場側を向く辺部３ｂよりも薄肉となっている。
【００２２】
上記構成の水返し部材２は上記した前述の実施形態と同様にして壁１に取付ける。本実施形態においてエプロン７の取付けに当たって、エプロン７の側端部の背方突出片部７ａを上記断面三角形状をした軟質部３に壁１と直交する方向（図９の矢印イ方向から）から挿入して押圧する場合、又は、エプロン７の側端部の背方突出片部７ａを上記断面三角形状をした軟質部３に壁１と平行する方向（図９の矢印ロ方向から）から挿入して押圧する場合のいずれの場合にも、断面三角形状をした軟質部３にエプロン７の側端部の背方突出片部７ａを押圧することで図９の実線の状態から図９の想像線に示すように他の２辺部３ａ、３ｂに対して薄肉となった浴槽側を向く辺部３ｃ部分で潰れてエプロン７の側端部が軟質部３に密着すると共に辺部３ａが壁１の表面に強く押し付けられて洗い場側からの水が壁１とエプロン７の側端部の間から浴槽下側に入り込むことが防止されるものである。
【図面の簡単な説明】
【００２３】
【図１】本発明の平面断面図である。
【図２】同上の側面断面図である。
【図３】同上の正面断面図である。
【図４】同上に用いる水返し部材の平面図である。
【図５】本発明の他の実施形態の平面断面図である。
【図６】同上の側面断面図である。
【図７】同上の正面断面図である。
【図８】同上に用いる水返し部材の平面図である。
【図９】同上に用いる水返し部材の軟質部にエプロンの側端部を壁と直角方向及び壁と平行方向から押し当てた場合における軟質部の変形を示す説明図である。
【符号の説明】
【００２４】
１  壁
２  水返し部材
３  軟質部
３ａ  辺部
３ｂ  辺部
３ｃ  辺部
４  浴槽
５  洗い場
６  フランジ
７  エプロン
８  せき止め片
９  堰
１０  当て片
【図１】
2005095429.tif 000003
【図２】
2005095429.tif 000004
【図３】
2005095429.tif 000005
【図４】
2005095429.tif 000006
【図５】
2005095429.tif 000007
【図６】
2005095429.tif 000008
【図７】
2005095429.tif 000009
【図８】
2005095429.tif 000010
【図９】
2005095429.tif 000011